(57)【要約】【課題】シートどうしが接合部において剥離することがなく、接合部を含むそれらシートが着用者の肌に接したとしても、着用者に不快な刺激を与えることがない使い捨ておむつを提供する。【解決手段】おむつ１Ａが表裏面シート２，３を断続的に接合するための接合部１４を有し、接合部１４における表裏面シート２，３のｗｅｔ（ウェット）時の剥離強度が１〜６０Ｎ／２５ｍｍの範囲、接合部１４を含む残余の部位の曲げ剛性が０．８ｇ・ｃｍ２／ｃｍ以下であり、おむつ１Ａに取り付けられたパネル１１が２シート２１，２２を断続的に接合するための接合部２８，２９を有し、接合部２８，２９におけるシート２１，２２のｗｅｔ（ウェット）時の剥離強度が１〜６０Ｎ／２５ｍｍの範囲、接合部２８を含む内端部分２７の曲げ剛性と接合部２９を含む固定外端部２４および固定両側部２５の曲げ剛性とが０．８ｇ・ｃｍ２／ｃｍ以下である。【選択図】　　　図１
2004141257.tif 000002
【特許請求の範囲】
【請求項１】
前後胴周り域およびそれら胴周り域の間に位置する股下域を備え、肌当接側に位置する透液性表面シートおよび肌非当接側に位置する不透液性裏面シートと、前記表裏面シートの間に介在して前記前後胴周り域と前記股下域との少なくとも該股下域に位置する吸液性第１コアとから形成された使い捨ておむつにおいて、
前記おむつが、前記第１コアの存在部位を除く残余の部位に、互いに重なり合う前記表裏面シートを断続的に接合するための第１接合部を有し、前記第１接合部における前記表裏面シートのｗｅｔ（ウェット）時の剥離強度が、１〜６０Ｎ／２５ｍｍの範囲にあり、前記第１接合部を含む前記残余の部位の曲げ剛性が、０．８ｇ・ｃｍ２／ｃｍ以下であることを特徴とする前記おむつ。
【請求項２】
肌当接側に位置する透液性第１シートおよび肌非当接側に位置する透液性第２シートと、前記第１および第２シートの間に介在する吸液性第２コアとから形成された液吸収パネルが、前記表面シートの外面の側に位置して前記前後胴周り域の少なくとも一方から前記股下域へ向かって延び、前記パネルが、前記おむつの端部に接合された固定外端部と、前記おむつの両側部に接合された固定両側部と、前記固定外端部と前記固定両側部との間に位置して前記おむつから遊離する自由部とを有し、
前記股下域の側に位置する前記自由部の内端部分が、前記第２コアの内端縁から縦方向外方へ延びる前記第１および第２シートから形成されるとともに、互いに重なり合う前記第１および第２シートを断続的に接合するための第２接合部を有し、前記第２接合部における前記第１および第２シートのｗｅｔ（ウェット）時の剥離強度が、１〜６０Ｎ／２５ｍｍの範囲にあり、前記第２接合部を含む前記内端部分の曲げ剛性が、０．８ｇ・ｃｍ２／ｃｍ以下である請求項１記載のおむつ。
【請求項３】
前記パネルの固定外端部が、前記第２コアの外端縁から縦方向外方へ延びる前記第１および第２シートから形成され、前記パネルの固定両側部が、前記第２コアの両側縁から幅方向外方へ延びる前記第１および第２シートから形成され、
前記固定外端部と前記固定両側部とが、互いに重なり合う前記第１および第２シートを断続的に接合するための第３接合部を有し、前記第３接合部における前記第１および第２シートのｗｅｔ（ウェット）時の剥離強度が、１〜６０Ｎ／２５ｍｍの範囲にあり、前記第３接合部を含む前記固定外端部および前記固定両側部の曲げ剛性が、０．８ｇ・ｃｍ２／ｃｍ以下である請求項１または請求項２に記載のおむつ。
【請求項４】
前記おむつが、前記パネルの固定両側部の外側に位置して縦方向へ延びる一対の防漏シートを備え、前記防漏シートが、前記おむつの側部に接合された固定縁部と、前記表面シートの上方へ起立性向を有する自由縁部と、前記おむつの端部に接合された固定両端部とを有し、前記パネルの内端部分の両側が、前記防漏シートの自由縁部に接合されている請求項２または請求項３に記載のおむつ。
【請求項５】
前記表面シートと前記第１および第２シートとが、親水化処理を施した繊維不織布から形成され、前記裏面シートと前記防漏シートとが、疎水化処理を施した繊維不織布から形成されている請求項４記載のおむつ。
【請求項６】
前記第１接合部では、前記表裏面シートがそれらシートの少なくとも一方に塗布された接着剤を介して接合され、前記第２および第３接合部では、前記第１および第２シートがそれらシートの少なくとも一方に塗布された接着剤を介して接合されている請求項３ないし請求項５いずれかに記載のおむつ。
【請求項７】
前記第１接合部では、前記表裏面シートが熱融着手段を介して接合され、前記第２および第３接合部では、前記第１および第２シートが熱融着手段を介して接合されている請求項３ないし請求項６いずれかに記載のおむつ。
【発明の詳細な説明】
【０００１】
【発明の属する技術分野】
本発明は、排泄物を吸収、保持する使い捨ておむつに関する。
【０００２】
【従来の技術】
従来、使い捨ておむつには、透液性表面シートと不透液性裏面シートとの間に吸液性コアが介在し、コアの両端縁から縦方向外方へ延びる表裏面シートから形成されたエンドフラップと、コアの両側縁から幅方向外方へ延びる表裏面シートから形成されたサイドフラップとを有し、エンドフラップとサイドフラップとにおいて互いに重なり合う表裏面シートが接合部を介して断続的に接合されたものがある（例えば、特許文献１および特許文献２参照）。
【０００３】
特許文献１に開示のおむつは、表面シートに不織布またはプラスチックフィルムが使用され、裏面シートにプラスチックフィルムが使用されている。このおむつのエンドフラップとサイドフラップとでは、互いに重なり合う表裏面シートが点状の多数の接合部を介して接合されている。表裏面シートの接合には、それらシートの少なくとも一方に点状に塗布されたホットメルト型接着剤が使用されている。
【０００４】
特許文献２に開示のおむつは、表面シートに親水性不織布が使用され、裏面シートに合成樹脂フィルムまたは合成樹脂フィルムと疎水性不織布とをラミネートした複合シートが使用されている。このおむつのエンドフラップとサイドフラップとでは、互いに重なり合う表裏面シートがジグザグ状に延びる接合部を介して接合されている。表裏面シートの接合には、それらシートの少なくとも一方にスパイラル状に塗布されたホットメルト型接着剤が使用されている。
【０００５】
【特許文献１】
特開２０００−９３４５７号公報（第２−４頁、第１図）
【特許文献２】
特開２００１−９９６０号公報　（第２−５頁、第２図）
【０００６】
【発明が解決しようとする課題】
それら特許文献に開示のおむつでは、コアの周縁から滲出した排泄物がエンドフラップやサイドフラップにおけるそれらシートの接合部に滲入すると、排泄物のうちの尿や大便に含まれる水分によって接着剤の強度が低下し、表裏面シートが接合部において剥離してしまう場合がある。表裏面シートが剥離すると、排泄物がエンドフラップやサイドフラップからおむつの外側へ漏れてしまうことはもちろん、コアを形成する粉砕パルプや高吸収性ポリマー粒子がそれらフラップからおむつの外側へこぼれてしまう場合がある。
【０００７】
エンドフラップやサイドフラップにおける表裏面シートの剥離を確実に防ぐには、接着剤をそれらフラップに位置する表裏面シートの全域に塗布することが好ましい。しかし、接着剤を表裏面シートの全域に塗布すると、硬化した接着剤によってエンドフラップやサイドフラップの剛性が増加し、それらフラップがおむつを着用した着用者の肌に接したときに、着用者の肌に不快な刺激を与える場合がある。
【０００８】
本発明の課題は、コアの周縁の外側に位置するシートどうしがそれらシートを接合した接合部において剥離することがなく、接合部を含むそれらシートが着用者の肌に接したとしても、着用者に不快な刺激を与えることがない使い捨ておむつを提供することにある。
【０００９】
【課題を解決するための手段】
前記課題を解決するための本発明の前提は、前後胴周り域およびそれら胴周り域の間に位置する股下域を備え、肌当接側に位置する透液性表面シートおよび肌非当接側に位置する不透液性裏面シートと、前記表裏面シートの間に介在して前記前後胴周り域と前記股下域との少なくとも該股下域に位置する吸液性第１コアとから形成された使い捨ておむつである。
【００１０】
前記前提における本発明は、前記おむつが前記第１コアの存在部位を除く残余の部位に、互いに重なり合う前記表裏面シートを断続的に接合するための第１接合部を有し、前記第１接合部における前記表裏面シートのｗｅｔ（ウェット）時の剥離強度が１〜６０Ｎ／２５ｍｍの範囲にあり、前記第１接合部を含む前記残余の部位の曲げ剛性が０．８ｇ・ｃｍ２／ｃｍ以下であることを特徴とする。
【００１１】
本発明は以下の実施態様を有する。
（１）肌当接側に位置する透液性第１シートおよび肌非当接側に位置する透液性第２シートと、前記第１および第２シートの間に介在する吸液性第２コアとから形成された液吸収パネルが、前記表面シートの外面の側に位置して前記前後胴周り域の少なくとも一方から前記股下域へ向かって延び、前記パネルが、前記おむつの端部に接合された固定外端部と、前記おむつの両側部に接合された固定両側部と、前記固定外端部と前記固定両側部との間に位置して前記おむつから遊離する自由部とを有し、前記股下域の側に位置する前記自由部の内端部分が、前記第２コアの内端縁から縦方向外方へ延びる前記第１および第２シートから形成されるとともに、互いに重なり合う前記第１および第２シートを断続的に接合するための第２接合部を有し、前記第２接合部における前記第１および第２シートのｗｅｔ（ウェット）時の剥離強度が、１〜６０Ｎ／２５ｍｍの範囲にあり、前記第２接合部を含む前記内端部分の曲げ剛性が、０．８ｇ・ｃｍ２／ｃｍ以下である。
（２）前記パネルの固定外端部が、前記第２コアの外端縁から縦方向外方へ延びる前記第１および第２シートから形成され、前記パネルの固定両側部が、前記第２コアの両側縁から幅方向外方へ延びる前記第１および第２シートから形成され、前記固定外端部と前記固定両側部とが、互いに重なり合う前記第１および第２シートを断続的に接合するための第３接合部を有し、前記第３接合部における前記第１および第２シートのｗｅｔ（ウェット）時の剥離強度が、１〜６０Ｎ／２５ｍｍの範囲にあり、前記第３接合部を含む前記固定外端部および前記固定両側部の曲げ剛性が、０．８ｇ・ｃｍ２／ｃｍ以下である。
（３）前記おむつが、前記パネルの固定両側部の外側に位置して縦方向へ延びる一対の防漏シートを備え、前記防漏シートが、前記おむつの側部に接合された固定縁部と、前記表面シートの上方へ起立性向を有する自由縁部と、前記おむつの端部に接合された固定両端部とを有し、前記パネルの内端部分の両側が、前記防漏シートの自由縁部に接合されている。
（４）前記表面シートと前記第１および第２シートとが、親水化処理を施した繊維不織布から形成され、前記裏面シートと前記防漏シートとが、疎水化処理を施した繊維不織布から形成されている。
（５）前記第１接合部では、前記表裏面シートがそれらシートの少なくとも一方に塗布された接着剤を介して接合され、前記第２および第３接合部では、前記第１および第２シートがそれらシートの少なくとも一方に塗布された接着剤を介して接合されている。
（６）前記第１接合部では、前記表裏面シートが熱融着手段を介して接合され、前記第２および第３接合部では、前記第１および第２シートが熱融着手段を介して接合されている。
【００１２】
【発明の実施の形態】
添付の図面を参照し、本発明に係る使い捨ておむつの詳細を説明すると、以下のとおりである。
【００１３】
図１，２は、一例として示すおむつ１Ａの部分破断斜視図と、図１のＩＩ−ＩＩ線矢視断面図とであり、図３は、図１のＩＩＩ−ＩＩＩ線矢視断面図である。図１では、幅方向を矢印Ｘで示し、縦方向を矢印Ｙで示す。図２，３では、接着剤２０，３０，３５の図示を省略している。なお、表裏面シート２，３の内面とは、第１コア４に対向する面をいい、それらシート２，３の外面とは、第１コア４に非対向の面をいう。また、第１および第２シート２１，２２の内面とは、第２コア２３に対向する面をいい、それらシート２１，２２の外面とは、第２コア２３に非対向の面をいう。
【００１４】
おむつ１Ａは、肌当接側に位置する透液性表面シート２と、肌非当接側に位置する不透液性裏面シート３と、表裏面シート２，３の間に介在してそれらシート２，３の内面に接合された吸液性第１コア４とから形成されている。おむつ１Ａは、縦方向に前胴周り域５および後胴周り域７と、それら胴周り域５，７の間に位置する股下域６とを有し、前後胴周り域５，７を幅方向へ延びる前後端部８，９と、前後胴周り域５，７間を縦方向へ延びる両側部１０とを有する。
【００１５】
おむつ１Ａの前胴周り域５の側には、液吸収パネル１１が配置されている。おむつ１Ａの両側部１０には、縦方向へ延びる一対の防漏シート１２が取り付けられている。股下域６では、両側部１０がおむつ１Ａの幅方向内方へ向かって弧を画いている。おむつ１Ａは、その平面形状が実質的に砂時計型を呈する。おむつ１Ａでは、裏面シート３が前後胴周り域５，７と股下域６との全体を画成している。表面シート２と第１コア４とは、前胴周り域５と股下域６の略前半分とに存在せず、後胴周り域７と股下域６の略後半分とに位置している。
【００１６】
表面シート２と裏面シート３とは、第１コア４の両端縁４ａから縦方向外方へ延びる部分１３が重なり合い、部分１３の内面どうしが多数の第１接合部１４を介して断続的に接合され、第１コア４の両側縁４ｂから幅方向外方へ延びる部分１５が重なり合い、部分１５の内面どうしが多数の第１接合部１４を介して断続的に接合されている。それら部分１３，１５は、第１コア４の存在部位を除く残余の部位に位置している。
【００１７】
表面シート２には、親水化処理が施された繊維不織布が使用されている。裏面シート３には、メルトブローン法による繊維不織布１６とスパンボンド法による繊維不織布１７とをラミネートした複合不織布が使用されている。それら不織布１６，１７には、疎水化処理が施されている。
【００１８】
第１コア４は、粉砕パルプと高吸収性ポリマー粒子との混合物、または、粉砕パルプと高吸収性ポリマー粒子と熱可塑性合成樹脂繊維との混合物であり、所定の厚みに圧縮されている。第１コア４は、それの型崩れやポリマー粒子の脱落を防止するため、全体がティッシュペーパーや親水性繊維不織布等の透液性シートに被覆されていることが好ましい。
【００１９】
前後端部８，９には、幅方向へ延びる帯状の胴周り用弾性部材１８が収縮可能に取り付けられている。両側部１０には、縦方向へ延びる複数条の脚周り用弾性部材１９が収縮可能に取り付けられている。弾性部材１８は、裏面シート３を形成する不織布１６，１７の間に介在し、それら不織布１６，１７に接合されている。弾性部材１９は、裏面シート３と防漏シート１２の後記する固定縁部３１との間に介在し、それらに接合されている。
【００２０】
パネル１１は、肌当接側に位置する透液性第１シート２１と、肌非当接側に位置する透液性第２シート２２と、第１および第２シート２１，２２の間に介在してそれらシート２１，２２の内面に接合された吸液性第２コア２３とから形成されている。第２コア２３は、第１コア４と同一のものが使用されている。パネル１１は、前胴周り域５から股下域６へ向かって延び、股下域６の略前半分に達している。パネル１１は、前端部８（端部）に接合された固定外端部２４と、両側部１０に接合された固定両側部２５と、固定外端部２４と固定両側部２５との間に位置する自由部２６とを有する。自由部２６は、おむつ１Ａに接合されておらず、おむつ１Ａから遊離している。自由部２６は、股下域６の側に位置する内端部分２７を有する。
【００２１】
内端部分２７は、第２コア２３の内端縁２３ａから縦方向外方へ延びる第１および第２シート２１，２２から形成されている。内端部分２７では、互いに重なり合う第１および第２シート２１，２２が第２接合部２８を介して断続的に接合されている。固定外端部２４は、第２コア２３の外端縁２３ｂから縦方向外方へ延びる第１および第２シート２１，２２から形成されている。固定両側部２５は、第２コア２３の両側縁２３ｃから幅方向外方へ延びる第１および第２シート２１，２２から形成されている。固定外端部２４と固定両側部２５とでは、互いに重なり合う第１および第２シート２１，２２が第３接合部２９を介して断続的に接合されている。固定外端部２４と固定両側部２５とでは、第２シート２２の外面が裏面シート３の内面に接着剤３０を介して接合されている。
【００２２】
防漏シート１２は、パネル１１の固定両側部２５の外側に位置している。防漏シート１２には、疎水化処理が施された繊維不織布が使用されている。防漏シート１２は、両側部１０に接合されて縦方向へ延びる固定縁部３１と、固定縁部３１と並行して縦方向へ延びるとともに、表面シート２の上方へ起立性向を有する自由縁部３２と、おむつの幅方向内方へ倒伏した状態で前後端部８，９に接合された固定両端部３３とを有する。固定縁部３１は、裏面シート３の内面に接着剤３０を介して接合されている。固定両端部３３は、表面シート２の外面に接着剤３０を介して接合されている。自由縁部３２には、パネル１１の内端部分２７の両側が接合されている。自由縁部３２には、縦方向へ延びる弾性部材３４が収縮可能に接合されている。弾性部材３４は、防漏シート１２の一部に被覆されている。
【００２３】
おむつ１Ａでは、それが表面シート２を内側にして縦方向へ湾曲すると、弾性部材３４が縦方向内方へ収縮し、防漏シート１２の自由縁部３２が表面シート２の上方へ起立して排泄物に対する障壁を形成する。おむつ１Ａでは、パネル１１の内端部分２７の両側が防漏シート１２の自由縁部３２に接合されているので、自由縁部３２の起立にともなってパネル１１の自由部２６が裏面シート３の上方へ持ち上げられる。その結果、裏面シート３とパネル１１との間に股下域６から前胴周り域５へ向かって開口するポケットＰ１が形成される。おむつ１Ａは、排泄物のうちの尿が第１シート２１を透過して第２コア２３に吸収され、排泄物のうちの大便が表面シート２を透過して第１コア４に吸収される。
【００２４】
部分１３，１５における表裏面シート２，３どうしの接合、表裏面シート２，３に対する第１コア４の接合、表裏面シート２，３に対する防漏シート１２の接合、裏面シート３と防漏シート１２とに対する弾性部材１９の接合には、表裏面シート２，３の内外面にジグザグ状に塗布された接着剤３０が使用されている。不織布１６，１７どうしの接合、不織布１６，１７に対する弾性部材１８の接合には、不織布１６，１７にジグザグ状に塗布された接着剤２０が使用されている。
【００２５】
固定外端部２４と固定両側部２５とにおける第１および第２シート２１，２２どうしの接合、第１および第２シート２１，２２に対する第２コア２３の接合には、第１および第２シート２１，２２の内面にジグザグ状に塗布された接着剤３５が使用されている。内端部分２７における第１および第２シート２１，２２どうしの接合には、第１および第２シート２１，２２の内面にジグザグ状に塗布された接着剤３５とともに、熱融着手段が使用されている。内端部分２７では、第１および第２シート２１，２２が断続的に延びる熱融着線３６を介して接合されている。
【００２６】
接着剤２０，３０，３５を表裏面シート２，３や不織布１６，１７、第１および第２シート２１，２２にジグザグ状に塗布した場合、表裏面シート２，３や不織布１６，１７、第１および第２シート２１，２２に接着剤２０，３０，３５が塗布された塗布域と接着剤２０，３０，３５が塗布されていない非塗布域とが形成される。接着剤２０，３０，３５は、ジグザグ状の他に、表裏面シート２，３や不織布１６，１７、第１および第２シート２１，２２にスパイラル状やドット状、縞状のうちのいずれかの態様で塗布されていてもよい。接着剤２０，３０，３５には、ホットメルト型接着剤やアクリル系接着剤、ゴム系接着剤を使用することができる。なお、接着剤２０，３０，３５は、表裏面シート２，３のいずれか一方の内面に塗布されていてもよく、第１および第２シート２１，２２のいずれか一方の内面に塗布されていてもよい。
【００２７】
おむつ１Ａでは、第１接合部１４における表裏面シート２，３のｗｅｔ（ウェット）時の剥離強度が１〜６０Ｎ／２５ｍｍの範囲にあり、第１接合部１４を含む部分１３，１５の曲げ剛性が０．００６〜０．８ｇ・ｃｍ２／ｃｍの範囲にある。第１接合部１４における表裏面シート２，３のｗｅｔ（ウェット）時の剥離強度が１Ｎ／２５ｍｍ未満では、第１コア４の両端縁４ａと両側縁４ｂとから滲出した排泄物が第１接合部１４に滲入したときに、第１接合部１４において表裏面シート２，３が剥離してしまう場合がある。第１接合部１４を含む部分１３，１５の曲げ剛性が０．８ｇ・ｃｍ２／ｃｍを超過すると、部分１３，１５がおむつ１Ａを着用した着用者の肌に接したときに、着用者の肌に不快な刺激を与える場合がある。
【００２８】
パネル１１では、第２および第３接合部２８，２９における第１および第２シート２１，２２のｗｅｔ（ウェット）時の剥離強度が１〜６０Ｎ／２５ｍｍの範囲にあり、第２接合部２８を含む内端部分２７の曲げ剛性が０．００６〜０．８ｇ・ｃｍ２／ｃｍの範囲にある。第３接合部２９を含む固定外端部２４と固定両側部２５との曲げ剛性が０．００６〜０．８ｇ・ｃｍ２／ｃｍの範囲にある。
【００２９】
第２および第３接合部２８，２９における第１および第２シート２１，２２のｗｅｔ（ウェット）時の剥離強度が１Ｎ／２５ｍｍ未満では、第２コア２３の内外端縁２３ａ，２３ｂと両側縁２３ｃとから滲出した排泄物が第２および第３接合部２８，２９に滲入したときに、第２および第３接合部２８，２９において第１および第２シート２１，２２が剥離してしまう場合がある。固定外端部２４や固定両側部２５、内端部分２７の曲げ剛性が０．８ｇ・ｃｍ２／ｃｍを超過すると、固定外端部２４や固定両側部２５、内端部分２７がおむつ１Ａを着用した着用者の肌に接したときに、着用者の肌に不快な刺激を与える場合がある。特に、股下域６の側に位置するパネル１１の内端部分２７は、防漏シート１２の自由縁部３２の起立によって裏面シート３の上方へ持ち上げられるので、おむつ１Ａを着用した着用者の股間に接し易く、内端部分２７の曲げ剛性が０．８ｇ・ｃｍ２／ｃｍを超過すると、着用者の股間に不快な刺激を与えるのみならず、着用者が痛みを感じる場合がある。
【００３０】
なお、表裏面シート２，３や第１および第２シート２１，２２のｗｅｔ（ウェット）時とは、第１接合部１４において表裏面シート２，３が排泄物のうちの尿や大便に含まれる水分によって浸潤した状態をいい、第２および第３接合部２８，２９において第１および第２シート２１，２２が排泄物のうちの尿や大便に含まれる水分によって浸潤した状態をいう。
【００３１】
表裏面シート２，３や第１および第２シート２１，２２のｗｅｔ（ウェット）時の剥離強度は、以下の方法で測定した。
（１）おむつ１Ａから第１接合部１４とともに表裏面シート２，３を切り取って幅１０ｍｍ、長さ１５ｍｍの測定用シート片を作成し、パネル１１から第２および第３接合部２８，２９とともに第１および第２シート２１，２２を切り取って幅１０ｍｍ、長さ１５ｍｍの測定用シート片を作成する。
（２）それらシート片を温度４０℃の０．９％生理食塩水に所定時間浸漬した後、生理食塩水に浸潤したそれらシート片の剥離強度を測定する。
（３）剥離強度の測定には、インストロン　ジャパンカンパニーリミテッド社製のインストロン５５４３を使用した。測定条件は、チャック間距離；１０ｍｍ、剥離速度；３００ｍｍ／ｍｉｎ、剥離角度；１８０°ピールである。測定範囲は、それらシート片の剥離開始から全て剥離するまでであり、測定範囲における剥離強度の平均値を算出し、その平均値を表裏面シート２，３や第１および第２シート２１，２２の剥離強度とする。
【００３２】
部分１３，１５の曲げ剛性、固定外端部２４や固定両側部２５、内端部分２７の曲げ剛性は、以下の方法で測定した。
（１）おむつ１Ａから第１接合部１４とともに表裏面シート２，３を切り取って幅１０ｍｍ、長さ１５ｍｍの部分測定用シート片を作成し、パネル１１から第３接合部２９とともに第１および第２シート２１，２２を切り取って幅１０ｍｍ、長さ１５ｍｍの固定外端部測定用シート片および固定両側部測定用シート片を作成するとともに、パネル１１から第２接合部２８とともに第１および第２シート２１，２２を切り取って幅１０ｍｍ、長さ１５ｍｍの内端部分測定用シート片を作成する。次に、それら測定用シート片の曲げ剛性を測定する。
（２）曲げ剛性の測定には、カトーテック社製のＫＥＳ−ＦＢ４　ＡＵＴＯ−ＡＳＵＲＦＡＣＥ　ＴＥＳＴＥＲを使用した。測定条件は、チャック間距離；１０ｍｍ、純曲げ方式；最大曲率２．５ｃｍ−１まで表面側に曲げた後、元に戻し、さらに、−２．５ｃｍ−１まで裏面側に曲げた後、元に戻す、である。曲げ剛性は、それらシート片の縦方向と横方向との両者について行い、縦横の曲げ剛性の平均値を算出し、その平均値を部分１３，１５や固定外端部２４、固定両側部２５、内端部分２７の曲げ剛性とする。
【００３３】
後胴周り域７の両側部１０には、幅方向内方へ延びるテープファスナ３７が取り付けられている。テープファスナ３７の自由端部には、粘着剤（図示せず）が塗布されている。前胴周り域５における裏面シート３の外面には、テープファスナ３７を着脱可能に止着する矩形のターゲットテープ３８が取り付けられている。テープファスナ３７とターゲットテープ３８とは、可撓性を有するプラスチックフィルムが使用されている。
【００３４】
おむつ１Ａを着用するには、後胴周り域７の両側部１０を前胴周り域５の両側部１０の外側に重ね合わせ、粘着剤を介してテープファスナ３７の自由端部をターゲットテープ３８に止着し、前胴周り域５と後胴周り域７とを連結する。前後胴周り域５，７が連結されたおむつ１Ａには、胴周り開口とその下方に一対の脚周り開口とが形成される（図示せず）。
【００３５】
おむつ１Ａは、第１接合部１４における表裏面シート２，３のｗｅｔ（ウェット）時の剥離強度が前記範囲にあるので、第１コア４の両端縁４ａと両側縁４ｂとから滲出した排泄物が第１接合部１４に滲入したとしても、第１接合部１４において表裏面シート２，３が剥離してしまうことはなく、部分１３，１５からの排泄物の漏れを防ぐことができ、第１コア４を形成する粉砕パルプやポリマー粒子が部分１３，１５からこぼれてしまうことを防ぐことができる。おむつ１Ａは、第１接合部１４を含む部分１３，１５の曲げ剛性が前記範囲にあるので、部分１３，１５がおむつ１Ａを着用した着用者の肌に接したとしても、着用者の肌に不快な刺激を与えることはない。おむつ１Ａは、第１接合部１４において表裏面シート２，３の剥離を防ぎつつ、第１接合部１４を含む部分１３，１５の柔軟性を維持することができる。
【００３６】
パネル１１は、第２および第３接合部２８，２９における第１および第２シート２１，２２のｗｅｔ（ウェット）時の剥離強度が前記範囲にあるので、第２コア２３の前後端縁２３ａ，２３ｂと両側縁２３ｃとから滲出した排泄物が第２および第３接合部２８，２９に滲入したとしても、第２および第３接合部２８，２９において第１および第２シート２１，２２が剥離してしまうことはなく、固定外端部２４や固定両側部２５、内端部分２７からの排泄物の漏れを防ぐことができ、第２コア２３を形成する粉砕パルプやポリマー粒子が固定外端部２４や固定両側部２５、内端部分２７からこぼれてしうまうことを防ぐことができる。パネル１１は、第２および第３接合部２８，２９を含む固定外端部２４や固定両側部２５、内端部分２７の曲げ剛性が前記範囲にあるので、固定外端部２４や固定両側部２５、内端部分２７がおむつ１Ａを着用した着用者の肌に接したとしても、着用者の肌に不快な刺激を与えることはない。このおむつ１Ａは、第２および第３接合部２８，２９において第１および第２シート２１，２２の剥離を防ぎつつ、第２および第３接合部２８，２９を含む固定外端部２４や固定両側部２５、内端部分２７の柔軟性を維持することができる。
【００３７】
おむつ１Ａでは、裏面シート３とパネル１１との間に股下域６から前胴周り域５へ向かって開口するポケットＰ１が形成されるので、おむつ１Ａの後胴周り域７に排泄された大便が前胴周り域５へ向かって流動したとしても、大便がポケットＰ１に収容され、尿と大便とが混ざり合ってしまうことはない。
【００３８】
図４，５は、他の一例として示すおむつ１Ｂの部分破断斜視図と、図４のＶ−Ｖ線矢視断面図とであり、図６は、図４のＶＩ−ＶＩ線矢視断面図である。図４では、幅方向を矢印Ｘで示し、縦方向を矢印Ｙで示す。図５，６では、接着剤２０，３０，３５の図示を省略している。
【００３９】
おむつ１Ｂは、透液性表面シート２と、不透液性裏面シート３と、表裏面シート２，３の間に介在する吸液性第１コア４とから形成され、前胴周り域５および後胴周り域７と、それら胴周り域５，７の間に位置する股下域６とを有する。おむつ１Ｂは、幅方向へ延びる前後端部８，９と、縦方向へ延びる両側部１０とを有する。おむつ１Ｂの前胴周り域５と後胴周り域７とには、液吸収パネル１１，３９が配置されている。おむつ１Ｂの両側部１０には、縦方向へ延びる一対の防漏シート１２が取り付けられている。
【００４０】
表面シート２や裏面シート３、防漏シート１２には、図１のそれらと同一の繊維不織布が使用されている。第１コア４は、図１のそれと同一のものが使用され、表裏面シート２，３の内面に接合されている。裏面シート３は、前後胴周り域５，７と股下域６との全体を画成している。表面シート２と第１コア４とは、前胴周り域５と後胴周り域７とに存在せず、股下域６に位置している。
【００４１】
表面シート２と裏面シート３とは、第１コア４の両端縁４ａから縦方向外方へ延びる部分１３が重なり合い、部分１３の内面どうしが第１接合部１４を介して断続的に接合され、第１コア４の両側縁４ｂから幅方向外方へ延びる部分１５が重なり合い、部分１５の内面どうしが第１接合部１４を介して断続的に接合されている。それら部分１３，１５は、第１コア４の存在部位を除く残余の部位に位置している。
【００４２】
前後端部８，９には、幅方向へ延びる帯状の胴周り用弾性部材１８が収縮可能に取り付けられている。両側部１０には、縦方向へ延びる複数条の脚周り用弾性部材１９が収縮可能に取り付けられている。弾性部材１８は、不織布１６，１７の間に介在し、それら不織布１６，１７に接合されている。弾性部材１９は、裏面シート３と防漏シート１２の固定縁部３１との間に介在し、それらに接合されている。
【００４３】
表裏面シート２，３どうしの接合、表裏面シート２，３に対する第１コア４の接合、表裏面シート２，３に対する防漏シート１２の接合、裏面シート３と防漏シート１２とに対する弾性部材１９の接合には、表裏面シート２，３の内外面にスパイラル状に塗布された接着剤３０が使用されている。不織布１６，１７どうしの接合、不織布１６，１７に対する弾性部材１８の接合には、それら不織布１６，１７にジグザグ状に塗布された接着剤２０が使用されている。
【００４４】
液吸収パネル１１，３９は、透液性第１シート２１と、透液性第２シート２２と、第１および第２シート２１，２２の間に介在してそれらシート２１，２２の内面に接合された吸液性第２コア２３とから形成されている。第２コア２３は、図１のそれと同一のものが使用されている。パネル１１は、前胴周り域５に位置し、前胴周り域５から股下域６へ向かって延びている。パネル３９は、後胴周り域７に位置し、後胴周り域７から股下域６へ向かって延びている。それらパネル１１，３９は、前後端部８，９（端部）に接合された固定外端部２４と、両側部１０に接合された固定両側部２５と、固定外端部２４と固定両側部２５との間に位置しておむつ１Ｂから遊離する自由部２６とを有する。自由部２６は、股下域６の側に位置する内端部分２７を有する。
【００４５】
内端部分２７は、第２コア２３の内端縁２３ａから縦方向外方へ延びる第１および第２シート２１，２２から形成されている。内端部分２７では、互いに重なり合う第１および第２シート２１，２２が第２接合部２８を介して断続的に接合されている。固定外端部２４は、第２コア２３の外端縁２３ｂから縦方向外方へ延びる第１および第２シート２１，２２から形成されている。固定両側部２５は、第２コア２３の両側縁２３ｃから幅方向外方へ延びる第１および第２シート２１，２２から形成されている。固定外端部２４と固定両側部２５とでは、互いに重なり合う第１および第２シート２１，２２が第３接合部２９を介して断続的に接合されている。
【００４６】
固定外端部２４と固定両側部２５とにおける第１および第２シート２１，２２どうしの接合、第１および第２シート２１，２２に対する第２コア２３の接合には、第１および第２シート２１，２２の内面にジグザグ状に塗布された接着剤３５が使用されている。内端部分２７における第１および第２シート２１，２２どうしは、第１および第２シート２１，２２の内面にジグザグ状に塗布された接着剤３５と断続的に延びる熱融着線３６（熱融着手段）とを介して接合されている。
【００４７】
第１接合部１４における表裏面シート２，３のｗｅｔ（ウェット）時の剥離強度は、１〜６０Ｎ／２５ｍｍの範囲にあり、第１接合部１４を含む部分１３，１５の曲げ剛性は、０．００６〜０．８ｇ・ｃｍ２／ｃｍの範囲にある。第２および第３接合部２８，２９における第１および第２シート２１，２２のｗｅｔ（ウェット）時の剥離強度は、１〜６０Ｎ／２５ｍｍの範囲にあり、第２接合部２８を含む内端部分２７の曲げ剛性は、０．００６〜０．８ｇ・ｃｍ２／ｃｍの範囲にある。第３接合部２９を含む固定外端部２４と固定両側部２５との曲げ剛性は、０．００６〜０．８ｇ・ｃｍ２／ｃｍの範囲にある。このおむつ１Ｂの前記剥離強度と前記曲げ剛性との測定方法は、図１のそれら同一である。
【００４８】
防漏シート１２は、両側部１０に接合された固定縁部３１と、表面シート２の上方へ起立性向を有する自由縁部３２と、おむつ１Ｂの幅方向内方へ倒伏した状態で前後端部８，９に接合された固定両端部３３とを有する。自由縁部３２には、それらパネル１１，３９の内端部分２７の両側が接合されている。自由縁部３２には、縦方向へ延びる弾性部材３４が収縮可能に接合されている。
【００４９】
パネル１１，３９の自由部２６は、防漏シート１２の自由縁部３２の起立にともなって裏面シート３の上方へ持ち上げられる。その結果、裏面シート３とパネル１１との間に股下域６から前胴周り域５へ向かって開口するポケットＰ１が形成され、裏面シート３とパネル３９との間に股下域６から後胴周り域７へ向かって開口するポケットＰ２が形成される。
【００５０】
おむつ１Ｂは、第１接合部１４における表裏面シート２，３のｗｅｔ（ウェット）時の剥離強度が前記範囲にあるので、第１コア４の両端縁４ａと両側縁４ｂとから滲出した排泄物がそれら第１接合部１４に滲入したとしても、第１接合部１４において表裏面シート２，３が剥離してしまうことはない。おむつ１Ｂは、第１接合部１４を含むそれら部分１３，１５の曲げ剛性が前記範囲にあるので、それら部分１３，１５がおむつ１Ｂを着用した着用者の肌に接したとしても、着用者の肌に不快な刺激を与えることはない。
【００５１】
パネル１１，３９は、第２および第３接合部２８，２９における第１および第２シート２１，２２のｗｅｔ（ウェット）時の剥離強度が前記範囲にあるので、第２コア２３の内外端縁２３ａ，２３ｂと両側縁２３ｃとから滲出した排泄物が第２および第３接合部２８，２９に滲入したとしても、第２および第３接合部２８，２９において第１および第２シート２１，２２が剥離してしまうことはない。パネル１１，３９は、第２および第３接合部２８，２９を含む固定外端部２４や固定両側部２５、内端部分２７の曲げ剛性が前記範囲にあるので、固定外端部２４や固定両側部２５、内端部分２７がおむつ１Ｂを着用した着用者の肌に接したとしても、着用者の肌に不快な刺激を与えることはない。
【００５２】
おむつ１Ｂでは、裏面シート３とパネル１１との間に股下域６から前胴周り域５へ向かって開口するポケットＰ１が形成され、裏面シート３とパネル３９との間に股下域５から後胴周り域７へ向かって開口するポケットＰ２が形成されるので、おむつ１Ｂの後胴周り域７に排泄された大便が前胴周り域５へ向かって流動したとしても、大便がポケットＰ１とポケットＰ２とに収容され、尿と大便とが混ざり合ってしまうことはない。
【００５３】
図７，８は、他の一例として示すおむつ１Ｃの部分破断斜視図と、図７のＶＩＩＩ−ＶＩＩＩ線矢視断面図とである。図１では、幅方向を矢印Ｘで示し、縦方向を矢印Ｙで示す。図８では、接着剤２０，３０の図示を省略している。
【００５４】
おむつ１Ｃは、肌当接側に位置する透液性表面シート２と、肌非当接側に位置する不透液性裏面シート３と、表裏面シート２，３との間に介在する吸液性コア４（吸液性第１コア）とから形成されている。おむつ１Ｃは、前胴周り域５および後胴周り域７と、それら胴周り域５，７の間に位置する股下域６とを有する。おむつ１Ｃは、コア４の両端縁４ａの外側に位置して幅方向へ延びる前後端部８，９と、コア４の両側縁４ｂの外側に位置して縦方向へ延びる両側部１０とを有する。
【００５５】
表面シート２と裏面シート３とは、図１のそれらと同一の繊維不織布が使用されている。コア４は、図１のそれと同一のものが使用され、表裏面シート２，３の内面に接合されている。両側部１０では、表面シート２がコア４の両側縁４ｂから幅方向外方へわずかに延び、裏面シート３が表面シート２からさらに幅方向外方へ延びている。
【００５６】
表面シート２と裏面シート３とは、コア４の両端縁４ａから縦方向外方へ延びる部分１３が重なり合い、部分１３の内面どうしが第１接合部１４を介して断続的に接合され、コア４の両側縁４ｂから幅方向外方へ延びる部分１５が重なり合い、部分１５の内面どうしが第１接合部１４を介して断続的に接合されている。それら部分１３，１５は、コア４の存在域を除く残余の部位に位置している。表裏面シート２，３どうしの接合、表裏面シート２，３に対するコア４の接合には、表裏面シート２，３の内面にジグザグ状に塗布された接着剤３０が使用されている。
【００５７】
前後端部８，９には、幅方向へ延びる帯状の胴周り用弾性部材１８が収縮可能に取り付けられている。両側部１０には、縦方向へ延びる複数条の脚周り用弾性部材１９が収縮可能に取り付けられている。それら弾性部材１８，１９は、裏面シート３を形成する不織布１６，１７の間に介在し、それら不織布１６，１７に接合されている。不織布１６，１７どうしの接合、不織布１６，１７に対する弾性部材１８，１９の接合には、それら不織布１６，１７にジグザグ状に塗布された接着剤２０が使用されている。
【００５８】
第１接合部１４における表裏面シート２，３のｗｅｔ（ウェット）時の剥離強度は、１〜６０Ｎ／２５ｍｍの範囲にある。第１接合部１４を含む部分１３，１５の曲げ剛性は、０．００６〜０．８ｇ・ｃｍ２／ｃｍの範囲にある。このおむつ１Ｃの前記剥離強度と前記曲げ剛性との測定方法は、図１のそれら同一である。
【００５９】
おむつ１Ｃは、第１接合部１４における表裏面シート２，３のｗｅｔ（ウェット）時の剥離強度が前記範囲にあるので、コア４の両端縁４ａと両側縁４ｂとから滲出した排泄物が部分１３，１５に滲入したとしても、第１接合部１４において表裏面シート２，３が剥離してしまうことはない。おむつ１Ｃは、第１接合部１４を含むそれら部分１３，１５の曲げ剛性が前記範囲にあるので、部分１３，１５がおむつ１Ｃを着用した着用者の肌に接したとしても、着用者の肌に不快な刺激を与えることはない。
【００６０】
表面シート２には、親水性繊維不織布の他に、多数の開孔を有する疎水性繊維不織布、微細な多数の開孔を有する透液性プラスチックフィルムのいずれかを使用することもできる。裏面シート３や防漏シート１２には、疎水性繊維不織布の他に、通気不透液性プラスチックフィルム、疎水性繊維不織布と通気不透液性プラスチックフィルムとをラミネートした複合シートのいずれかを使用することもできる。
【００６１】
裏面シート３や防漏シート１２には、高い耐水性を有するメルトブローン法による繊維不織布の両面を、高い強度と良好な柔軟性とを有するスパンボンド法による繊維不織布で挟んだ複合不織布を使用することもできる。
【００６２】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００６３】
この発明は、着用時に前後胴周り域５，７を連結するオープン型のおむつ１Ａ，１Ｂ，１Ｃの他に、前後胴周り域の両側部があらかじめ連結されて胴周り開口と脚周り開口とが形成されたパンツ型のおむつにも実施することができる。
【００６４】
【発明の効果】
本発明にかかる使い捨ておむつによれば、第１接合部における表裏面シートのｗｅｔ（ウェット）時の剥離強度が１〜６０Ｎ／２５ｍｍの範囲にあるので、排泄物が第１接合部に滲入したとしても、第１接合部において表裏面シートが剥離してしまうことはなく、残余の部位からの排泄物の漏れを防ぐことができる。このおむつは、第１接合部を含む残余の部位の曲げ剛性が０．８ｇ・ｃｍ２／ｃｍ以下であるので、第１接合部を含む残余の部分がおむつを着用した着用者の肌に接したとしても、着用者の肌に不快な刺激を与えることはない。このおむつは、第１接合部において表裏面シートの剥離を防ぎつつ、第１接合部を含む残余の部分の柔軟性を維持することができる。
【００６５】
表面シートの外面の側に液吸収パネルが配置されたおむつは、パネルの第２および第３接合部における第１および第２シートのｗｅｔ（ウェット）時の剥離強度が１〜６０Ｎ／２５ｍｍの範囲にあるので、第２コアの両端縁と両側縁とから滲出した排泄物が第２および第３接合部に滲入したとしても、第２および第３接合部において第１および第２シートが剥離してしまうことはなく、パネルの固定外端部や固定両側部、内端部分からの排泄物の漏れを防ぐことができる。このおむつは、第２および第３接合部を含む固定外端部や固定両側部、内端部分の曲げ剛性が０．８ｇ・ｃｍ２／ｃｍ以下であるので、パネルの内端部分や固定外端部、固定両側部がおむつを着用した着用者の肌に接したとしても、着用者の肌に不快な刺激を与えることはない。このおむつは、パネルの第２および第３接合部において第１および第２シートの剥離を防ぎつつ、第２および第３接合部を含むパネルの内端部分や固定外端部、固定両側部の柔軟性を維持することができる。
【００６６】
パネルの内端部分の両側が防漏シートの自由縁部に接合されたおむつでは、防漏シートの自由縁部の起立にともなってパネルの自由部が表面シートの上方へ持ち上げられるので、おむつとパネルとの間にポケットが形成され、ポケットに大便を収容することができ、尿と大便とが混ざり合ってしまうことを防ぐことができる。
【図面の簡単な説明】
【図１】一例として示すおむつの部分破断斜視図。
【図２】図１のＩＩ−ＩＩ線矢視断面図。
【図３】図１のＩＩＩ−ＩＩＩ線矢視断面図。
【図４】他の一例として示すおむつの部分破断斜視図。
【図５】図４のＶ−Ｖ線矢視断面図。
【図６】図４のＶＩ−ＶＩ線矢視断面図。
【図７】他の一例として示すおむつの部分破断斜視図。
【図８】図７のＶＩＩＩ−ＶＩＩＩ線矢視断面図。
【符号の説明】
１Ａ　　　　　　使い捨ておむつ
１Ｂ　　　　　　使い捨ておむつ
１Ｃ　　　　　　使い捨ておむつ
２　　　　　　　透液性表面シート
３　　　　　　　不透液性裏面シート
４　　　　　　　吸液性第１コア
５　　　　　　　前胴周り域
６　　　　　　　股下域
７　　　　　　　後胴周り域
８　　　　　　　前端部（端部）
９　　　　　　　後端部（端部）
１０　　　　　　　両側部
１１　　　　　　　液吸収パネル
１２　　　　　　　防漏シート
１３　　　　　　　部分
１４　　　　　　　第１接合部
１５　　　　　　　部分
２０　　　　　　　接着剤
２１　　　　　　　透液性第１シート
２２　　　　　　　透液性第２シート
２３　　　　　　　吸液性第２コア
２３ａ　　　　　　内端縁
２３ｂ　　　　　　外端縁
２３ｃ　　　　　　両側縁
２４　　　　　　　固定外端部
２５　　　　　　　固定両側部
２６　　　　　　　自由部
２７　　　　　　　内端部分
２８　　　　　　　第２接合部
２９　　　　　　　第３接合部
３０　　　　　　　接着剤
３１　　　　　　　固定縁部
３２　　　　　　　自由縁部
３３　　　　　　　固定両端部
３５　　　　　　　接着剤
３６　　　　　　　熱融着線（熱融着手段）
３９　　　　　　　液吸収パネル
Ｐ１　　　　　　　ポケット
Ｐ２　　　　　　　ポケット
【図１】
2004141257.tif 000003
【図２】
2004141257.tif 000004
【図３】
2004141257.tif 000005
【図４】
2004141257.tif 000006
【図５】
2004141257.tif 000007
【図６】
2004141257.tif 000008
【図７】
2004141257.tif 000009
【図８】
2004141257.tif 000010